(57)【特許請求の範囲】
【請求項１】
ユーザ機器（ＵＥ）が制御情報を受信するための方法であって、
前記ＵＥが復調基準信号（ＤＭＲＳ）に基づいてダウンリンク共有トラフィック・チャネルを受信するために第１の送信モードで構成されているとき、前記ＵＥが、共通基準信号（ＣＲＳ）を使用する制御チャネルの候補を監視するとともに、ＤＭＲＳを使用する拡張制御チャネルの候補を監視する工程と、
前記ＵＥがＣＲＳに基づいてダウンリンク共有トラフィック・チャネルを受信するために第２の送信モードで構成されているとき、前記ＵＥが、ＣＲＳを使用する制御チャネルの候補のみを監視する工程と、
前記ＵＥが、サブフレームにおいて、該監視される制御チャネルの候補または拡張制御チャネルの候補のうちの１つで該サブフレームのダウンリンク制御情報（ＤＣＩ）を受信する工程と
を備える方法。
【請求項２】
前記第１の送信モードが、送信モード９である請求項１に記載の方法。
【請求項３】
前記第２の送信モードが、送信モード１、２、３、４、５、および６のうちの１つである請求項１に記載の方法。
【請求項４】
前記ＵＥが、ＣＲＳを使用する制御チャネルの候補を監視する工程が、前記ＵＥが、物理ダウンリンク制御チャネル（ＰＤＣＣＨ）の候補を監視する工程をさらに含み、前記ＵＥが、ＤＭＲＳを使用する拡張制御チャネルの候補を監視する工程が、前記ＵＥが、拡張物理ダウンリンク制御チャネル（ＥＰＤＣＣＨ）の候補を監視する工程をさらに含み、前記ダウンリンク共有トラフィック・チャネルが、物理ダウンリンク共有チャネル（ＰＤＳＣＨ）である請求項１に記載の方法。
【請求項５】
前記ＵＥは、前記サブフレームにおいて、前記共通基準信号（ＣＲＳ）を使用する１組の前記制御チャネルの候補を監視し、
前記１組の前記制御チャネルは、前記ＵＥが、前記復調基準信号（ＤＭＲＳ）を使用する拡張制御チャネルの候補を前記サブフレームにおいて監視するかどうかに基づく、
請求項１に記載の方法。
【請求項６】
前記ＵＥは、前記サブフレームにおいて第１の１組のアグリゲーション・レベルで前記拡張制御チャネルの候補を監視し、
前記方法は、
前記ＵＥが、第２のサブフレームにおいて、該第１の１組のアグリゲーション・レベルとは異なる第２の１組のアグリゲーション・レベルで前記拡張制御チャネルの候補を監視する工程と、
前記ＵＥが、サブフレームのサブフレーム・タイプ、該サブフレームにおけるチャネル状態情報（ＣＳＩ）基準信号の構成、および該サブフレームでシグナリングされる物理制御フォーマット・インジケータ・チャネル（ＰＣＦＩＣＨ）値のうちの１つまたは複数に基づいて、該第１の１組のアグリゲーション・レベルおよび該第２の１組のアグリゲーション・レベルを決定する工程と、
前記ＵＥが、該監視される拡張制御チャネルの候補のうちの少なくとも１つで制御情報を受信する工程と
をさらに備える、請求項１に記載の方法。
【請求項７】
制御情報を受信することの可能なユーザ機器（ＵＥ）であって、
無線トランシーバと、
該無線トランシーバに結合され、前記ＵＥが復調基準信号（ＤＭＲＳ）に基づいてダウンリンク共有トラフィック・チャネルを受信するために第１の送信モードで構成されているとき、共通基準信号（ＣＲＳ）を使用する制御チャネルの候補を監視するとともに、ＤＭＲＳを使用する拡張制御チャネルの候補を監視し、前記ＵＥがＣＲＳに基づいてダウンリンク共有トラフィック・チャネルを受信するために第２の送信モードで構成されているとき、ＣＲＳを使用する制御チャネルの候補のみを監視し、サブフレームにおいて、該監視される制御チャネルの候補または拡張制御チャネルの候補のうちの１つで該サブフレームのダウンリンク制御情報（ＤＣＩ）を受信するように構成されている信号処理ユニットと
を備えるユーザ機器。
【請求項８】
前記ＵＥは、前記サブフレームにおいて、前記共通基準信号（ＣＲＳ）を使用する１組の前記制御チャネルの候補を監視し、前記１組の前記制御チャネルは、前記ＵＥが、前記復調基準信号（ＤＭＲＳ）を使用する拡張制御チャネルの候補を前記サブフレームにおいて監視するかどうかに基づく請求項７に記載のユーザ機器。
【請求項９】
前記信号処理ユニットは、前記サブフレームにおいて第１の１組のアグリゲーション・レベルで拡張制御チャネルの候補を監視し、第２のサブフレームにおいて、該第１の１組のアグリゲーション・レベルとは異なる第２の１組のアグリゲーション・レベルで拡張制御チャネルの候補を監視し、サブフレームのサブフレーム・タイプ、該サブフレームにおけるチャネル状態情報（ＣＳＩ）基準信号の構成、および該サブフレームでシグナリングされる物理制御フォーマット・インジケータ・チャネル（ＰＣＦＩＣＨ）値のうちの１つまたは複数に基づいて該第１の１組のアグリゲーション・レベルおよび該第２の１組のアグリゲーション・レベルを決定し、該監視される拡張制御チャネルの候補のうちの少なくとも１つで制御情報を受信するように構成されている、請求項７に記載のユーザ機器。
【発明の詳細な説明】
【技術分野】
【０００１】
本開示は、一般には、無線通信システムに関し、より詳細には、直交周波数分割多重（ＯＦＤＭ）通信システムにおける制御チャネルの送信および受信に関する。
【背景技術】
【０００２】
現在の３ＧＰＰ  ＬＴＥ（第３世代パートナーシップ・プロジェクト・ロング・ターム・エボリューション）通信システム、すなわち、リリース８、９、および１０においては、ｅＮｏｄｅＢからのダウンリンク（ＤＬ）制御シグナリングは、ユーザ機器（ＵＥ）によって、以下で制御シンボルと呼ばれるサブフレームの最初のシンボル、最初の２つのシンボル、または最初の３つのシンボル、または最初の４つのシンボルで受信される。制御シンボルに続くサブフレーム内の残りのシンボルは、通常、ユーザ・データを受信するために使用される。例えば、図１（図１Ａ，図１Ｂ）は、３つの制御シンボルを用いる従来技術の例示的なサブフレームの構造を示す。制御シグナリングは、サブフレームの最初の３つのシンボルのキャリア帯域幅（例えば、１０メガヘルツ（ＭＨｚ））全体に拡散され、ＵＥによって物理ダウンリンク制御チャネル（ＰＤＣＣＨ）で受信される。ユーザ・データは、ＵＥによって、物理ダウンリンク共有チャネル（ＰＤＳＣＨ）で、キャリア帯域幅全体かまたはキャリア帯域幅の一部かのどちらかを占有するＰＤＳＣＨの選択されたリソース・ブロック（ＲＢ）で受信される。
【０００３】
ＰＤＣＣＨで送信された情報を復号するために、ＵＥは、ＰＤＣＣＨのコヒーレント復調のためのチャネル推定を実行する必要がある。チャネル推定を実行するために、ＵＥは、基準信号（ＲＳ）、例えば、セル固有基準信号（ＣＲＳ：Ｃｅｌｌ−ｓｐｅｃｉｆｉｃ  ｒｅｆｅｒｅｎｃｅ  ｓｉｇｎａｌ）であり、サブフレームに含まれ、１つまたは複数のアンテナ・ポートに関連付けられるパイロット・シンボルを受信する。例えば、３ＧＰＰ  ＬＴＥリリース８、９、および１０において、ＵＥは、ＰＤＣＣＨを受信するために、アンテナ・ポート０、１、２、および３のうちの１つまたは複数に関連付けられたＣＲＳを使用する。アンテナ・ポート０、１、２、および３に関するＣＲＳの構造が図１に示されており、図１において、Ｒ０とラベル付けされたＲＳは、アンテナ・ポート０に関連付けられたＲＳを運ぶリソース要素であり、Ｒ１とラベル付けされたＲＳは、アンテナ・ポート１に関連付けられたＲＳを運ぶリソース要素であり、Ｒ２とラベル付けされたＲＳは、アンテナ・ポート２に関連付けられたＲＳを運ぶリソース要素であり、Ｒ３とラベル付けされたＲＳは、アンテナ・ポート３に関連付けられたＲＳを運ぶリソース要素である。アンテナ・ポートは、アンテナ・ポートのシンボルが運ばれるチャネルが、同じアンテナ・ポートの別のシンボルが運ばれるチャネルから推測され得るように定義される。プライマリ／セカンダリ同期チャネル（Ｐ／Ｓ−ＳＣＨ）などの同期信号、プライマリ・ブロードキャスト制御チャネル（ＰＢＣＨ）を含むブロードキャスト制御チャネルなどのその他の信号およびチャネルも、サブフレーム内に存在し得る。通常、マスター情報ブロック（ＭＩＢ）が、物理ブロードキャスト・チャネル（ＰＢＣＨ）で送信され、ＭＩＢは、システム・フレーム番号（ＳＦＮ）、ダウンリンク・システム帯域幅、ならびに物理ハイブリッドＡＲＱチャネル（ＰＨＩＣＨ）の構成（継続時間およびＰＨＩＣＨリソース・インジケータなど）の一部からなる。ＬＴＥリリース−８において、ＰＢＣＨは、無線フレームのサブフレーム０（各フレームは２つのスロットからなり、各スロットは０．５ミリ秒に対応する）で送信される。同期信号は、無線フレームのサブフレーム０および５で、キャリア帯域幅の内側の６つのＰＲＢまたは内側の７２個のサブキャリア（約１．１ＭＨｚ）内で送信される。同期信号の厳密な位置は、複信の種類およびサイクリック・プレフィックスの長さに基づいて変わる。
【０００４】
３ＧＰＰ  ＬＴＥリリース１０に関しては、（ＰＤＳＣＨで送信された）ユーザ・データを復調するために、ＵＥは、アンテナ・ポート０、１、２、および３に関連付けられたＲＳを使用することができるか、またはアンテナ・ポート７、８、９、１０、１１、１２、１３、および１４などのその他のアンテナ・ポートに関連付けられたＲＳを使用することができるかのどちらかであり、すなわち、ＵＥは、ＰＤＳＣＨの受信のために使用される送信方式に基づいてこれらのアンテナ・ポートのすべてまたはサブセットに関連付けられたＲＳを使用することができる（さらに、送信方式は、サービングｅＮｏｄｅＢからの構成シグナリングに応じて決まる）。概して、アンテナ・ポート・アンテナ・ポート７、８、９、１０、１１、１２、１３、および１４に関連付けられたＲＳは、「ＵＥ固有基準信号（ＵＥＲＳ：ＵＥ  ｓｐｅｃｉｆｉｃ  ｒｅｆｅｒｅｎｃｅ  ｓｉｇｎａｌ）」、または「復調基準信号（ＤＭＲＳ：Ｄｅｍｏｄｕｌａｔｉｏｎ  ｒｅｆｅｒｅｎｃｅ  ｓｉｇｎａｌ）」、または「専用基準信号（ＤＲＳ：Ｄｅｄｉｃａｔｅｄ  ｒｅｆｅｒｅｎｃｅ  ｓｉｇｎａｌ）」と呼ばれる。概して、アンテナ・ポート０、１、２、および３に関連付けられたＲＳは、「共通基準シンボル（ＣＲＳ：Ｃｏｍｍｏｎ  Ｒｅｆｅｒｅｎｃｅ  Ｓｙｍｂｏｌ）」と呼ばれる。ＣＲＳに基づく送信方式においては、ＵＥは、アンテナ・ポート０、１、２、３のうちの１つまたは複数を使用することができ、ＤＭＲＳに基づく送信方式に関しては、ＵＥは、７、８、９、１０、１１、１２、１３、１４のうちの１つまたは複数のアンテナ・ポートを使用することができる。ＰＤＳＣＨを復号するためにＤＭＲＳを使用するときの空間送信レイヤ（ｓｐａｔｉａｌ  ｔｒａｎｓｍｉｓｓｉｏｎ  ｌａｙｅｒ）の実際の数および関連するアンテナ・ポートは、ＰＤＳＣＨに関連するダウンリンク制御チャネル（ＤＣＩ）情報に基づいてＵＥによって決定され得る。通常、ＰＤＳＣＨのデータを復調するためにＣＲＳとＤＭＲＳとの両方が同時に使用されることはない。ＣＲＳが、ｅＮｏｄＢによってキャリア帯域幅全体にわたって送信される一方、ＤＭＲＳは、ＵＥがＰＤＳＣＨの割り振りを受けているＲＢにのみ存在し得る。したがって、ＤＭＲＳを使用してＰＤＳＣＨを受信するとき、ＵＥは、ＰＤＳＣＨの割り振りを受けているＲＢに存在するＤＭＲＳのみ使用することができる。
【０００５】
３ＧＰＰ  ＬＴＥリリース１１（次世代ＬＴＥシステム）に関しては、新しいＤＬ制御シグナリングが、サブフレームの第１のタイム・スロットの間のシンボルで、またはサブフレームの第１のタイム・スロットと第２のタイム・スロットとの両方の間のシンボルでｅＮｏｄｅＢによってＵＥに送信されることが構想されている。新しいＤＬ制御シグナリングは、概して、拡張ＰＤＣＣＨ（ＥＰＤＣＣＨ）と呼ばれる。チャネル帯域幅全体にわたって送信されるＰＤＣＣＨとは異なり、ＵＥは、周波数領域においてキャリア帯域幅の一部にのみ広がる可能性がある１組のＲＢでＥＰＤＣＣＨを受信すると期待される。さらに、ＣＲＳを使用してＵＥによって受信されるＰＤＣＣＨとは異なり、ＥＰＤＣＣＨはＤＭＲＳを使用してＵＥによって受信され得ることが構想されている。
【０００６】
新しいＤＬ制御シグナリング、すなわち、ＥＰＤＣＣＨは、ＣｏＭＰ（多地点協調送信（Ｃｏｏｒｄｉｎａｔｅｄ  Ｍｕｌｔｉ−ｐｏｉｎｔ  Ｔｒａｎｓｍｉｓｓｉｏｎ））、およびマルチ・ユーザＭＩＭＯ（ＭＵ−ＭＩＭＯ）を含む拡張された多入力多出力（ＭＩＭＯ）技術などのロング・ターム・エボリューション−アドバンスド（ＬＴＥ−Ａ）リリース１１＋の特徴をサポートするために、既存の３ＧＰＰ  ＬＴＥリリース８／９／１０のダウンリンク制御チャネル、すなわち、ＰＤＣＣＨを補完するために使用されると期待される。ＥＰＤＣＣＨは、ビームフォーミングされた周波数選択的制御送信、ＤＭＲＳを使用することによるユーザへの専用制御送信、シングル・ユーザＭＩＭＯ（ＳＵ−ＭＩＭＯ）およびＭＵ−ＭＩＭＯ制御送信に対する空間多重化された制御チャネル送信などの先進の制御チャネル送信方式を許容することができる。
【０００７】
ＥＰＤＣＣＨを受信するために、ＵＥは、いくつかのＥＰＤＣＣＨの候補、すなわち、そのＵＥを対象とし得るＥＰＤＣＣＨ信号に関するブラインド復号（ｂｌｉｎｄ  ｄｅｃｏｄｉｎｇ）を実行する必要がある。３ＧＰＰ  ＬＴＥリリース１０においては、ＰＤＣＣＨを受信するために、ＵＥは、それぞれの非ＤＲＸ（間欠受信）サブフレームでプライマリ・セルに関して最大で４４回（アップリンク（ＵＬ）ＭＩＭＯ用に構成されている場合は６０回）のブラインド復号を実行する。ＵＥがキャリア・アグリゲーション（ＣＡ）用に構成されている場合、ＵＥは、それぞれの構成および有効化されたセカンダリ・セルに関して３２回の追加のブラインド復号を実行する。さらにＥＰＤＣＣＨを受信するために、ＵＥが実行する必要があるブラインド復号の回数は著しく増加し、ＵＥに時間および処理負荷の大きな負担をかける。
【発明の概要】
【発明が解決しようとする課題】
【０００８】
したがって、ＰＤＣＣＨとＥＰＤＣＣＨとの両方を受信するためのＵＥにおけるブラインド復号の複雑さが適度なレベルに保たれることを保証する機構に対する必要性が存在する。
【課題を解決するための手段】
【０００９】
物理ダウンリンク制御チャネル（ＰＤＣＣＨ）と拡張ＰＤＣＣＨ（ＥＰＤＣＣＨ）との両方を受信するためのユーザ機器（ＵＥ）におけるブラインド復号の複雑さが適度なレベルに保たれることを保証する機構に対する必要性に対応するために、ＵＥが無線ネットワークから制御情報を受信する通信システムが提供される。ＵＥは、復調基準信号（ＤＭＲＳ）に基づいてダウンリンク共有トラフィック・チャネルを受信するために送信モード９などの第１の送信モードで構成されているとき、共通基準信号（ＣＲＳ：ｃｏｍｍｏｎ  ｒｅｆｅｒｅｎｃｅ  ｓｉｇｎａｌ）を使用する制御チャネルの候補を監視し、ＤＭＲＳを使用する拡張制御チャネルの候補を監視する。ＵＥは、ＣＲＳに基づいてダウンリンク共有トラフィック・チャネルを受信するために送信モード１〜６のいずれかなどの第２の送信モードで構成されているときは、ＣＲＳを使用する制御チャネルの候補のみを監視する。次いで、ＵＥは、サブフレームにおいて、監視される制御チャネルの候補または拡張制御チャネルの候補のうちの１つでサブフレーム内のダウンリンク制御情報（ＤＣＩ）を受信する。
【００１０】
本発明のその他の実施形態においては、ＵＥは、復調基準信号（ＤＭＲＳ）を使用する拡張制御チャネルの候補がサブフレームにおいて監視されるかどうかを判定し、サブフレームにおいて、共通基準信号（ＣＲＳ）を使用する１組の制御チャネルの候補を監視し、サブフレームにおいて、１組の制御チャネルの候補の中の１つの制御チャネルの候補でダウンリンク制御情報（ＤＣＩ）を受信することができ、１組の制御チャネルの候補は、復調基準信号（ＤＭＲＳ）を使用する拡張制御チャネルの候補がサブフレームにおいて監視されるかどうかに基づく。本発明のさらにその他の実施形態においては、ＵＥは、第１のサブフレームにおいて第１の１組のアグリゲーション・レベルで拡張制御チャネルの候補を監視し、第２のサブフレームにおいて、第１の１組のアグリゲーション・レベルとは異なる第２の１組のアグリゲーション・レベルで拡張制御チャネルの候補を監視し、サブフレームのサブフレーム・タイプ、サブフレームにおけるチャネル状態情報（ＣＳＩ）基準信号の構成、およびサブフレームでシグナリングされる物理制御フォーマット・インジケータ・チャネル（ＰＣＦＩＣＨ）の値のうちの１つまたは複数に基づいて第１の１組のアグリゲーション・レベルおよび第２の１組のアグリゲーション・レベルを決定し、監視される拡張制御チャネルの候補のうちの少なくとも１つで制御情報を受信する。
【００１１】
概して、本発明の１実施形態は、ＵＥにおいて制御情報を受信するための方法を含む。方法は、ＵＥが、復調基準信号（ＤＭＲＳ）に基づいてダウンリンク共有トラフィック・チャネルを受信するために第１の送信モードで構成されているとき、共通基準信号（ＣＲＳ）を使用する制御チャネルの候補を監視し、ＤＭＲＳを使用する拡張制御チャネルの候補を監視する工程と、ＣＲＳに基づいてダウンリンク共有トラフィック・チャネルを受信するために第２の送信モードで構成されているとき、ＣＲＳを使用する制御チャネルの候補のみを監視する工程と、サブフレームにおいて、監視される制御チャネルの候補または拡張制御チャネルの候補のうちの１つでサブフレーム内のダウンリンク制御情報（ＤＣＩ）を受信する工程とを含む。
【００１２】
本発明の別の実施形態は、ＵＥにおいて制御情報を受信するための方法を含む。方法は、サブフレームを受信する工程と、ＤＭＲＳを使用する拡張制御チャネルの候補がサブフレームにおいて監視されるかどうかを判定する工程と、サブフレームにおいて、ＣＲＳを使用する１組の制御チャネルの候補を監視する工程と、サブフレームにおいて、１組の制御チャネルの候補の中の１つの制御チャネルの候補でＤＣＩを受信する工程とを含み、１組の制御チャネルの候補は、ＤＭＲＳを使用する拡張制御チャネルの候補がサブフレームにおいて監視されるかどうかに基づく。
【００１３】
本発明のさらに別の実施形態は、ＵＥにおいて制御情報を受信するための方法を含む。方法は、ＣＲＳを使用するレガシーの制御チャネルの候補を監視する工程と、第１のサブフレームにおいて第１の１組のアグリゲーション・レベルで拡張制御チャネルの候補を監視する工程と、第２のサブフレームにおいて、第１の１組のアグリゲーション・レベルとは異なる第２の１組のアグリゲーション・レベルで拡張制御チャネルの候補を監視する工程と、サブフレームのサブフレーム・タイプ、サブフレームにおけるチャネル状態情報（ＣＳＩ）基準信号の構成、およびサブフレームでシグナリングされる物理制御フォーマット・インジケータ・チャネル（ＰＣＦＩＣＨ）の値のうちの１つまたは複数に基づいて第１の１組のアグリゲーション・レベルおよび第２の１組のアグリゲーション・レベルを決定する工程と、監視される拡張制御チャネルの候補のうちの少なくとも１つで制御情報を受信する工程とを含む。
【００１４】
本発明のさらに別の実施形態は、ＵＥにおいて制御情報を受信するための方法を含む。方法は、サブフレームにおいて１組の制御チャネルの候補を監視する工程であって、１組の制御チャネルの候補は、１つまたは複数の制御チャネルの候補の種類からなり、制御チャネルの候補の種類は、共通基準信号（ＣＲＳ）に基づく制御チャネルの候補および復調基準信号（ＤＭＲＳ）に基づく制御チャネルの候補を含む、監視する工程と、監視される制御チャネルの候補の種類の数に基づいて、監視される１組の制御チャネルの候補の中の１組のＣＲＳに基づく制御チャネルの候補を決定する工程と、サブフレームにおいて、決定された１組のＣＲＳに基づく制御チャネルの候補を含む監視される１組の制御チャネルの候補の中の１つの制御チャネルの候補でダウンリンク制御情報（ＤＣＩ）を受信する工程とを含む。
【００１５】
本発明のさらに別の実施形態は、制御情報を受信することができるＵＥを含む。ＵＥは、無線トランシーバと、トランシーバに結合され、ＵＥがＤＭＲＳに基づいてダウンリンク共有トラフィック・チャネルを受信するために第１の送信モードで構成されているとき、ＣＲＳを使用する制御チャネルの候補を監視し、ＤＭＲＳを使用する拡張制御チャネルの候補を監視し、ＵＥがＣＲＳに基づいてダウンリンク共有トラフィック・チャネルを受信するために第２の送信モードで構成されているとき、ＣＲＳを使用する制御チャネルの候補のみを監視し、サブフレームにおいて、監視される制御チャネルの候補または拡張制御チャネルの候補のうちの１つでサブフレーム内のＤＣＩを受信するように構成されている信号処理ユニットとを含む。
【００１６】
本発明のさらに別の実施形態は、制御情報を受信することができるＵＥを含む。ＵＥは、無線トランシーバと、トランシーバに結合され、サブフレームを受信し、ＤＭＲＳを使用する拡張制御チャネルの候補がサブフレームにおいて監視されるかどうかを判定し、サブフレームにおいて、ＣＲＳを使用する１組の制御チャネルの候補を監視し、サブフレームにおいて、１組の制御チャネルの候補の中の１つの制御チャネルの候補でＤＣＩを受信するように構成され、１組の制御チャネルの候補は、ＤＭＲＳを使用する拡張制御チャネルの候補がサブフレームにおいて監視されるかどうかに基づく、信号処理ユニットとを含む。
【００１７】
本発明のさらに別の実施形態は、制御情報を受信することができるＵＥを含む。ＵＥは、無線トランシーバと、トランシーバに結合され、ＣＲＳを使用するレガシーの制御チャネルの候補を監視し、第１のサブフレームにおいて第１の１組のアグリゲーション・レベルで拡張制御チャネルの候補を監視し、第２のサブフレームにおいて、第１の１組のアグリゲーション・レベルとは異なる第２の１組のアグリゲーション・レベルで拡張制御チャネルの候補を監視し、サブフレームのサブフレーム・タイプ、サブフレームにおけるＣＳＩ基準信号の構成、およびサブフレームでシグナリングされるＰＣＦＩＣＨの値のうちの１つまたは複数に基づいて第１の１組のアグリゲーション・レベルおよび第２の１組のアグリゲーション・レベルを決定し、監視される拡張制御チャネルの候補のうちの少なくとも１つで制御情報を受信するように構成されている信号処理ユニットとを含む。
【図面の簡単な説明】
【００１８】
【図１Ａ】従来技術の例示的なサブフレーム構造の時間周波数の図。
【図１Ｂ】従来技術の例示的なサブフレーム構造の時間周波数の図。
【図２Ａ】例示的なＯＦＤＭサブフレーム構造の時間周波数の図。
【図２Ｂ】例示的なＯＦＤＭサブフレーム構造の時間周波数の図。
【図３】本発明の１実施形態による無線通信システムの構成図。
【図４】本発明の１実施形態による図３の通信システムのユーザ機器の構成図。
【図５】本発明の１実施形態による図３の通信システムの基地局の構成図。
【図６Ａ】本発明の１実施形態によるサブフレーム内の基準信号の配置を示す、図３の通信システムによって使用される例示的なＯＦＤＭサブフレーム構造の時間周波数の図。
【図６Ｂ】本発明の１実施形態によるサブフレーム内の基準信号の配置を示す、図３の通信システムによって使用される例示的なＯＦＤＭサブフレーム構造の時間周波数の図。
【図７】本発明のさまざまな実施形態による、図３のユーザ機器への拡張物理ダウンリンク制御チャネル（ＥＰＤＣＣＨ）のシグナリングに関する２つの手法を示す例示的なサブフレーム構造の構成図。
【図８】本発明のさまざまな実施形態による、物理ダウンリンク制御チャネル（ＰＤＣＣＨ）および拡張ＰＤＣＣＨ（ＥＰＤＣＣＨ）のうちの１つまたは複数で送信された制御情報を復号するために図３のユーザ機器によって実行されるブラインド復号を示す論理フロー図。
【図９】本発明のさまざまな実施形態による、ＥＰＤＣＣＨのためにリソース・ブロック毎に利用可能なリソース要素の数を示す表。
【図１０】本発明のさまざまな実施形態による、物理ダウンリンク制御チャネル（ＰＤＣＣＨ）および拡張ＰＤＣＣＨ（ＥＰＤＣＣＨ）のうちの１つまたは複数で送信された制御情報を復号するために図３のユーザ機器によって実行されるブラインド復号を示す別の論理フロー図。
【発明を実施するための形態】
【００１９】
当業者は、図中の要素が、簡単かつ明瞭であるように示されており、必ずしも正確な縮尺で描かれていないことを認めるであろう。例えば、図中の要素の一部の寸法および／または相対的な位置は、本発明のさまざまな実施形態の理解を深めるのに役立つように、その他の要素に比して誇張され得る。また、商業化が可能な実施形態において有用または必要である、一般的ではあるが十分に理解されている要素は、多くの場合、本発明のこれらのさまざまな実施形態の図をより見やすくするために示されていない。特定の行為および／または工程が特定の実行順で説明されるかまたは示されることもあるが、当業者は、順番に関するそのような特定が実際は必須でないことを理解するであろうことがさらに理解される。当業者は、「回路」などの特定の実装の実施形態について言及したことが、汎用のコンピューティング装置（例えば、ＣＰＵ）か、または専用の処理装置（例えば、ＤＳＰ）かのどちらかでソフトウェア命令を実行することで置き換えることによって等しく実現され得ることをさらに認めるであろう。本明細書において使用される用語および表現は、異なる特定の意味が本明細書において別途説明された場合を除いて、上で示されたように、当業者によってそのような用語および表現に付与される通常の技術的意味を有することも理解されるであろう。
【００２０】
本発明が、図２〜図１０を参照してより完全に説明され得る。図２（図２Ａ，図２Ｂ）は、ＵＥがＥＰＤＣＣＨおよびＰＤＳＣＨを受信すると期待される例示的なサブフレーム構造を示す。図２に示されるように、ＥＰＤＣＣＨは、リソース・ブロック０（ＲＢ０）でＵＥに送信可能であり、ＰＤＳＣＨは、リソース・ブロック２および３（ＲＢ２およびＲＢ３）でＵＥに送信可能である。リソース・ブロック１（ＲＢ１）は、図２においては空であるものとして示されているが、ＲＢ１も、ＵＥにＰＤＳＣＨまたはＥＰＤＣＣＨを送信するために使用され得る。図３は、本発明の１実施形態による無線通信システム３００の構成図である。通信システム３００は、セルラ電話、無線電話、または無線周波数（ＲＦ）能力を有する携帯情報端末（ＰＤＡ）、パーソナル・コンピュータ、ラップトップ・コンピュータ、もしくはコンピュータ・タブレットなどであるがこれらに限定されないユーザ機器（ＵＥ）３０２を含む。通信システム３００が、ＮｏｄｅＢ、ｅＮｏｄｅＢ、アクセス・ポイント（ＡＰ）、中継ノード（ＲＮ）、ホームＮｏｄｅＢ、ホームｅＮｏｄｅＢ、マクロｅＮｏｄｅＢ（ＭｅＮＢ）、ドナーｅＮｏｄｅＢ（ＤｅＮＢ）、フェムトセル、フェムト・ノード、ピコ・セル、ネットワーク・ノード、もしくは無線基地局（用語ＢＳ、ｅＮｏｄｅＢ、ｅＮＢ、およびＮｏｄｅＢは、本明細書においては交換可能なように使用される）などの基地局（ＢＳ）３１０を含むアクセス・ネットワークをさらに含むか、または複数のアンテナを含むアンテナ・アレーを含み、多入力多出力（ＭＩＭＯ）通信をサポートする当技術分野で使用されるその他の用語によって、ＢＳ３１０が、ＢＳによってサービスを提供されるセルもしくはセルのセクタなどのカバー・エリア内に存在するＵＥ１０２などのユーザ機器に、対応する無線インターフェース３１２を介して通信サービスを提供する。ＢＳ３１０は、それぞれ、いくつかのアンテナを有する送信点（ＴＰ：ｔｒａｎｓｍｉｓｓｉｏｎ  ｐｏｉｎｔ）とも呼ばれることがある。ＢＳは、ＵＥにサービスを提供する１つまたは複数の送信機および１つまたは複数の受信機を含み得る。ＵＥも、１つまたは複数の送信機および１つまたは複数の受信機を含み得る。
【００２１】
無線インターフェース３１２は、ダウンリンクおよびアップリンクを含む。ダウンリンクおよびアップリンクのそれぞれは、ダウンリンクの物理ダウンリンク制御チャネル（ＰＤＣＣＨ）および拡張ＰＤＣＣＨなどの複数の制御／シグナリング・チャネルと、ダウンリンク共有トラフィック・チャネル、例えば、物理ダウンリンク共有チャネル（ＰＤＳＣＨ）などの複数のトラフィック・チャネルとを含む複数の物理通信チャネルを含む。
【００２２】
ここで図４および図５を参照すると、本発明のさまざまな実施形態によるＵＥ３０２およびＢＳ３１０の構成図が与えられている。ＵＥ３０２およびＢＳ３１０のそれぞれは、１つまたは複数のマイクロ信号処理ユニット、マイクロコントローラ、デジタル信号処理ユニット（ＤＳＰ）、これらの組合せ、あるい当業者に知られているそのようなその他のデバイスなどのそれぞれの信号処理ユニット４０２、５０２を含む。信号処理ユニット４０２および５０２と、ひいてはＵＥ３０２およびＢＳ３１０のそれぞれとの特定の動作／機能は、ランダム・アクセス・メモリ（ＲＡＭ）、ダイナミック・ランダム・アクセス・メモリ（ＤＲＡＭ）、および／もしくは読み出し専用メモリ（ＲＯＭ）、またはデータおよび対応する信号処理ユニットによって実行され得るプログラムを記憶するそれらと同等の物などの、信号処理ユニットに関連付けられたそれぞれの少なくとも１つのメモリ・デバイス４０４、５０４に記憶されるソフトウェア命令およびルーチンの実行によって決定される。
【００２３】
ＵＥ３０２およびＢＳ３１０のそれぞれは、ＵＥまたはＢＳの信号処理ユニット４０２、５０２に結合され、ＰＤＣＣＨ、ＥＰＤＣＣＨ、およびＰＤＳＣＨなどの無線信号をＵＥとＢＳとの間で無線インターフェース３１２を介して交換するそれぞれの１つまたは複数の無線トランシーバ４０６、５０６をさらに含む。ＵＥ３０２は、複数のアンテナ４０８をさらに含み、ＭＩＭＯ通信をサポートする。ＢＳ３１０は、複数のアンテナ５１２を含むアンテナ・アレー５１０をさらに含む。アンテナ・アレーを利用して、アンテナ・アレーによってサービスを提供されるセルまたはセクタなどのＢＳのカバー・エリア内にあるＵＥに信号を送信することによって、ＢＳは、信号の送信のためにＭＩＭＯ技術を利用することができる。
【００２４】
これまでの意味では、用語「アンテナ・ポート」は、概して、ＢＳ３１０の「物理」アンテナ・ポートを指して使用されてきた。基準信号が、通常、アンテナ・ポートに関連付けられ（すなわち、そこから送信され）、ＵＥ３０２などのＵＥがアンテナ・ポートに対する測定を行い、それによって、対応するアンテナ・ポートからＵＥの受信機までのチャネルを推定することを可能にする。３ＧＰＰの仕様では、「アンテナ・ポート」の定義は、いくつかの新しい概念を扱うために範囲を拡張された。アンテナ・ポートは、アンテナ・ポートのシンボルが運ばれるチャネルが、同じアンテナ・ポートの別のシンボルが運ばれるチャネルから推測され得るように定義される。アンテナ・ポートは、アンテナのうちの１つまたは複数からの送信の任意の明確に定義された記述に対応することがある。例として、アンテナ・ポートは、アンテナの重みが適用された１組のアンテナからのビームフォーミングされた送信であって、１組のアンテナ自体はＵＥに知られていない可能性がある、ビームフォーミングされた送信を含み得る。この場合、効果的なチャネルが、関連するアンテナ・ポートから送信された専用基準信号（ＤＲＳ）から突き止められ得る。専用基準信号は、同じアンテナの重みが１組のアンテナに適用されたビームフォーミングされたデータ送信と同様にビームフォーミングされ得る。概して、基準信号は、ＵＥにおける測定またはチャネル推定もしくは判定を目的としてアンテナ・ポートに関連付けられる。
【００２５】
ＢＳ３１０は、信号処理ユニット５０２と通信し、アンテナ・アレー５１０とトランシーバ５０６との間に置かれる重み付け器（ｗｅｉｇｈｔｅｒ）５０８、例えば、プリコーダまたは任意のその他の種類の信号重み付け器などをトランシーバ５０６に関連してさらに含む。本発明の別の実施形態において、重み付け器５０８は、信号処理ユニット５０２によって実装可能である。重み付け器は、間にある無線インターフェースのダウンリンク上でのＵＥへの送信のために信号を予め歪ませ、ビームフォーミングするために、ＵＥ３０２などのＵＥによってフィードバックされるチャネル状態情報（ＣＳＩ）、例えば、コードブック・インデックスおよびランク・インデックスなどのコードブック・フィードバック、共分散行列もしくは任意のその他の種類の行列、固有ベクトル、またはチャネル品質の平均および分散などの統計フィードバック、受信信号品質情報、チャネルの周波数応答、または当技術分野で知られている任意のその他の種類のチャネル・フィードバックに基づいて、アンテナ・アレー５１０の複数のアンテナ５１２に適用される信号を重み付けする。
【００２６】
重み付け器５０８がプリコーダを含むとき、ＵＥ３０２およびＢＳ３１０のそれぞれは、少なくとも１つのメモリ・デバイス４０４および５０４ならびに／または重み付け器５０８に、行列の複数の組を含むプリコーディング行列をさらに保有することができ、行列の各組は、ダウンリンクの送信のためのアンテナの組合せと、各アンテナに適用され得る重みとに関連付けられる。プリコーディング行列は、当技術分野でよく知られており、さらに詳細に説明されない。ＵＥによって測定されたチャネルの状態に基づいて、ＵＥは、リソース要素（ＲＥ）のグループのためのプリコーディング基準、好ましくは、プリコーディング行列インジケータ（ＰＭＩ）を折り返し報告し、ここで、ＲＥは、１サブキャリアの周波数×１ＯＦＤＭシンボルの時間のような時間周波数リソースである。ＲＥのグループのためのプリコーディング基準を決定する際、ＵＥは、測定されたチャネルの状態に基づいて１組の複素重みを計算する。１組の複素重みは、ダウンリンクの基準信号の測定から導出された固有ビームフォーミング（Ｅｉｇｅｎ  Ｂｅａｍｆｏｒｍｉｎｇ）ベクトルとすることができる。複素重みは、プリコーディング・ベクトルを生成するために、１組の定義済みのベクトルにマッピングされる、すなわち、１組の定義済みのベクトルのうちの最も近いベクトルにマッピングされる。次いで、ＵＥは、ＵＥによって選択されたプリコーディング・ベクトルのインデックスをアップリンク制御チャネルを使用して伝える。
【００２７】
好ましくは、本発明の実施形態は、ＵＥ３０２およびＢＳ３１０内で、より詳細には、少なくとも１つのメモリ・デバイス４０４、５０４に記憶され、ＵＥおよびＢＳの信号処理ユニット４０２、５０２によって実行されるソフトウェア・プログラムおよび命令を用いて、またはソフトウェア・プログラムに実装される。しかし、当業者は、本発明の実施形態が、代替的に、ハードウェア、例えば、ＵＥ３０２およびＢＳ３１０のうちの１つまたは複数に実装された特定用途向け集積回路（ＡＳＩＣ）のような集積回路（ＩＣ）、ＡＳＩＣなどで実装され得ることを認める。本開示に基づいて、当業者は、元に戻す実験なしにそのようなソフトウェアおよび／またはハードウェアを容易に生産および実装することができる。
【００２８】
通信システム３００は、無線インターフェース３１２を介してデータを送信するための直交周波数分割多元接続（ＯＦＤＭＡ）変調方式で構成され、周波数チャネル、または帯域幅が、所与の期間中に複数の物理リソース・ブロック（ＰＲＢ）に分割される。各物理リソース・ブロック（ＰＲＢ）は、トラフィック・チャネルおよびシグナリング・チャネルがＴＤＭまたはＴＤＭ／ＦＤＭ式に送信される物理レイヤのチャネルである、所与の数のＯＦＤＭシンボルにわたる複数の直交する周波数サブキャリアを含む。通信セッションは、ベアラ情報を交換するための１つのＰＲＢまたはＰＲＢのグループを割り振られることもあり、それによって、複数のユーザが、各ユーザの送信がその他のユーザの送信と直交するような異なるＰＲＢで同時に送信することを可能にする。１つのＰＲＢが、複数のユーザを割り振られることもあり、その場合、ユーザ同士はもはや直交しないが、個々の送信の重みの空間シグネチャ（ｓｐａｔｉａｌ  ｓｉｇｎａｔｕｒｅ）に基づいて分離され得る。
【００２９】
さらに、通信システム３００は、第３世代パートナーシップ・プロジェクト（３ＧＰＰ）ロング・ターム・エボリューション−アドバンスド（ＬＴＥ−Ａ）規格にしたがって動作することが好ましく、それらの規格は、無線システム・パラメータおよび呼処理手順を含む無線電気通信システムの動作プロトコルを規定し、多地点協調送信（ＣｏＭＰ）を実装する。したがって、ＰＤＣＣＨは、以前の３ＧＰＰ通信システムによって利用される制御チャネルであるので「レガシーの制御チャネル」とみなされ、さらに本明細書においてそう呼ばれることがあり、ＥＰＤＣＣＨは、最も新しく提案された３ＧＰＰ  ＬＴＥ−Ａ通信システムで使用することによって生み出された「拡張制御チャネル」であり、さらに本明細書においてそのように呼ばれる。しかし、当業者は、通信システム１００が、チャネル推定と、チャネル推定に基づく受信信号の復調およびチャネル品質のフィードバックとを使用するその他の３ＧＰＰ通信システム、３ＧＰＰ２（第３世代パートナーシップ・プロジェクト２）エボリューション通信システム、例えば、ＣＤＭＡ（符号分割多元接続）２０００  １ＸＥＶ−ＤＶ通信システム、ＩＥＥＥ８０２．ｘｘ規格、例えば、８０２．１１ａ／ＨｉｐｅｒＬＡＮ２、８０２．１１ｇ、もしくは８０２．２０規格によって示される無線ローカル・エリア・ネットワーク（ＷＬＡＮ）通信システム、または８０２．１６ｅおよび８０２．１６ｍを含むＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（米国電気電子学会））８０２．１６規格にしたがって動作するマイクロ波アクセスのための世界的相互運用性（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムなどであるがこれらに限定されない、直交周波数分割多重化（ＯＦＤＭ）変調方式を使用する任意の無線電気通信規格にしたがって動作し得ることを認める。
【００３０】
多重化され、ＢＳ３１０からＵＥ３０２に送信される信号の中に、その他の制御情報およびユーザ・データと多重化され得る基準またはパイロット信号がある。基準信号、ならびにより詳細には共通基準信号（ＣＲＳ）およびＵＥ固有基準信号（ＵＥＲＳ）または復調基準信号（ＤＭＲＳ）または専用基準信号（ＤＲＳ）が、ＵＥが受信されたユーザ・データを復調するため、およびサービングＢＳにフィードバックされるチャネル状態情報（ＣＳＩ）を決定するために、サービングＢＳ、すなわち、ＢＳ３１０のアンテナから、サービスを提供されるＵＥ、すなわち、ＵＥ３０２に送信される。加えて、ＣｏＭＰ送信に関しては、ＵＥは、複数の送信地点または複数のＢＳに関するＣＳＩをやはり決定する必要があることもある。
【００３１】
ここで図６（図６Ａ，図６Ｂ）を参照すると、本発明のさまざまな実施形態による通信システム３００によって使用され得るＯＦＤＭＡサブフレーム６３０内の基準信号、ならびに特に共通基準信号（ＣＲＳ）およびＵＥ固有基準信号（ＵＥＲＳ）または復調基準信号（ＤＭＲＳ）の例示的な分布を示す、例示的なサブフレーム構造の時間周波数の図６００が与えられている。時間周波数の図６００の縦軸は、割り当てられ得るサブフレームの複数の周波数のブロックまたは周波数ビン（周波数サブキャリア）を示す。時間周波数の図６００の横軸は、割り当てられ得るサブフレームの（ＯＦＤＭシンボルを単位とする）複数の時間のブロック６０１〜６１４を示す。サブフレーム６３０は、リソース・ブロック０（ＲＢ０）、リソース・ブロック１（ＲＢ１）、リソース・ブロック（ＲＢ２）、およびリソース・ブロック３（ＲＢ３）などの複数のリソース・ブロック（ＲＢ）を含み、各ＲＢは、７つのＯＦＤＭシンボルを含むタイム・スロットにわたって１２個のＯＦＤＭサブキャリアを含む。概して、サブフレームの継続時間は１ｍｓであり、それぞれが０．５ｍｓの継続時間の２つのタイム・スロットからなる。さらに、各ＲＢは、複数のリソース要素（ＲＥ）に分けられ、各ＲＥは、単一のＯＦＤＭシンボルの単一のＯＦＤＭサブキャリアまたは周波数ビンである。
【００３２】
ＬＴＥリリース１１に関して、ＵＥ３０２などのＵＥは、周波数領域においてキャリア帯域幅の一部のみに広がる可能性がある１組のＲＢでＥＰＤＣＣＨを受信すると期待される。サブフレーム６３０に示されるように、ＵＥ３０２は、ＥＰＤＣＣＨおよびＰＤＳＣＨを受信することを期待してもよく、ＥＰＤＣＣＨが、ＲＢ０でＵＥに送信され、ＰＤＳＣＨが、ＲＢ２およびＲＢ３でＵＥに送信される。ＲＢ１は、図６においては空であるものとして示されているが、ＲＢ１も、ＵＥにＰＤＳＣＨまたはＥＰＤＣＣＨを送信するために使用され得る。
【００３３】
ＰＤＣＣＨで送信された情報を復号するために、ＵＥ３０２は、ＰＤＣＣＨを受信した後、チャネル推定を実行する必要がある。チャネル推定を実行するために、ＵＥは、サブフレームに含まれる基準信号（ＲＳ）を受信する。ＲＳは、１つまたは複数のアンテナ・ポートに関連付けられる。例えば、図６に示されるように、Ｒ０とラベル付けされたＲＳは、アンテナ・ポート０に関連付けられた基準信号を運ぶリソース要素であり、Ｒ１とラベル付けされたＲＳは、アンテナ・ポート１に関連付けられた基準信号を運ぶリソース要素であり、Ｒ２とラベル付けされたＲＳは、アンテナ・ポート２に関連付けられた基準信号を運ぶリソース要素（ＲＥ）であり、Ｒ３とラベル付けされたＲＳは、アンテナ・ポート３に関連付けられた基準信号を運ぶリソース要素（ＲＥ）である。概して、アンテナ・ポート０、１、２、および３に関連付けられたＲＳは、「共通基準信号」と呼ばれる。  （ＰＤＳＣＨで送信された）ユーザ・データを復調するために、３ＧＰＰ  ＬＴＥリリース１０は、ＵＥ３０２などのＵＥが、アンテナ・ポート０、１、２、および３に関連付けられたＲＳを使用することができるか、またはアンテナ・ポート７、８、９、１０、１１、１２、１３、および１４などのその他のアンテナ・ポートに関連付けられたＲＳを使用することができるかのどちらかであり、すなわち、ＵＥが、ＰＤＳＣＨの受信のために使用される送信方式に基づいてこれらのアンテナ・ポートのすべてまたはサブセットに関連付けられたＲＳを使用することができる（さらに、送信方式は、サービングＢＳ、すなわち、ＢＳ３１０からの構成シグナリングに応じて決まる）と規定する。概して、これらのその他のアンテナ・ポート７、８、９、１０、１１、１２、１３、および１４に関連付けられたＲＳは、「ＵＥ固有基準信号（ＵＥＲＳ）」、または「復調基準信号（ＤＭＲＳ）もしくは専用基準信号（ＤＲＳ）」と呼ばれる。ＣＲＳを使用してＵＥによって受信されるＰＤＣＣＨとは異なり、ＥＰＤＣＣＨはＤＭＲＳを使用してＵＥによって受信される。
【００３４】
すなわち、図６に示されるように、Ｒ０〜Ｒ３とラベル付けされ（それぞれ、アンテナ・ポート０〜３に関連付けられ）たＲＥは、ＣＲＳに割り当てられ（ＣＲＳ  ＲＥ）、Ｒ７〜Ｒ１０とラベル付けされ（それぞれ、アンテナ・ポート７〜１０に関連付けられ）たＲＥは、ＤＭＲＳに割り当てられる（ＤＭＲＳ  ＲＥ）。アンテナ・ポートのグループに対応するＲＳは、当技術分野で知られている任意の多重化方法またはその組合せ、例えば、符号分割多重（ＣＤＭ）か、またはそれぞれの個々のアンテナの基準信号が異なるＲＥを占有する周波数／時分割多重かのどちらかを使用して、１組の利用可能なＲＥにマッピングされ得ることを理解されたい。例えば、アンテナ・ポート７および８に対応するＲＳは、ＣＤＭを使用して多重化され、時間および周波数領域で同じＲＥにマッピングされる。サブフレーム６３０は、サブフレームの制御領域および／またはユーザ・データ領域に分散されるその他のＲＳも含む。これらのその他のＲＳは、ＬＴＥ−Ａ通信システムにおいては、存在することもあるが、ＵＥによる受信信号の復調には必ずしも使用されない。例えば、その他のＲＳは、ＣＳＩ−ＲＳ（チャネル状態情報基準信号）、もしくは干渉の測定に有用であり得る、ＵＥがＲＳのＲＥにおいて送信電力が０であると想定することになるミュートされたＲＳ（ｍｕｔｅｄ  ＲＳ）を含むことも、または位置情報の検出のために使用され得る測位ＲＳなどを含むこともある。
【００３５】
さらに、図６に示されるように、アンテナ・ポートに対応するＲＳは、ユーザ・データ領域のリソース要素（ＲＥ）のペア、より詳細にはＯＦＤＭシンボル６０６〜６０７および６１３〜６１４に関連するＲＥのペアのうちの１つに割り当てられることがある。例えば、図６に示されるように、Ｒ７／８とラベル付けされた隣接するＤＭＲＳ  ＲＥのペアが、アンテナ・ポート７およびアンテナ・ポート８に割り当てられることがあり、Ｒ９／１０とラベル付けされた隣接するＤＭＲＳ  ＲＥのペアが、アンテナ・ポート９およびアンテナ・ポート１０に割り当てられることがある。この例において、Ｒ７およびＲ８のＲＳは、直交ウォルシュ符号を使用して符号分割多重化される。同様に、Ｒ９およびＲ１０のＲＳは、直交ウォルシュ符号を使用して符号分割多重化される。
【００３６】
ＵＥ３０２は、周波数領域においてキャリア帯域幅の一部のみに広がることがある１組のＲＢ（ＥＰＤＣＣＨ  ＲＢセット（ＥＰＤＣＣＨ  ＲＢ  ｓｅｔ））でＥＰＤＣＣＨを監視すると期待される。さらに、ＵＥは、ＰＤＣＣＨに対応する時間シンボルとは異なるサブフレーム内の時間シンボルにおいてのみＥＰＤＤＣＨを監視することができる。例えば、図６において、ＵＥは、時間領域の時間シンボル６０１、６０２（すなわち、この例においては２つの制御シンボルが存在する）において、周波数領域のキャリア帯域幅全体にわたってＰＤＣＣＨを監視することができる。ＵＥは、時間領域のシンボル６０３〜６０７または代替的にシンボル６０３〜６１４において、周波数領域の１つのＲＢ（例えば、ＲＢ０）または複数のＲＢでＥＰＤＣＣＨを監視することができる。例えば、図２のＲＢ０を考えると、ＵＥは、ＲＢ０の、ＰＤＣＣＨに割り当てられない部分６２２でＥＰＤＣＣＨを監視する。代替的に、ＲＢ０が、非ＰＤＣＣＨ制御領域のリソースのみを包含するように、すなわち、ＰＤＣＣＨに割り振られるリソースを除いて定義され得る。代替的な実施形態において、ＲＢ０は、予め決められたシンボルから始まり、スロット内の残りのシンボルを占めるように定義され得る。予め決められたシンボルは、ＰＤＣＣＨまたは上位レイヤのシグナリング（例えば、ＲＲＣもしくはＭＡＣシグナリング）によってＵＥにシグナリングされ得る。ＥＰＤＣＣＨを受信するために、ＵＥ３０２は、いくつかのＥＰＤＣＣＨの候補を監視する必要がある。監視は、１つまたは複数のＥＰＤＣＣＨの候補をブラインド復号することを試みることを含む（この例においては、いくつかのＥＰＤＣＣＨの候補のそれぞれに対してブラインド復号が試みられる）。
【００３７】
ここで図７を参照すると、本発明のさまざまな実施形態による、ＵＥへのＥＰＤＣＣＨのシグナリングのための２つの手法を示す例示的なサブフレーム構造が示されている。２つの手法のうちの第１の手法、すなわち、オプション１においては、ＵＥ３０２にシグナリングされるＤＬの割り振りが、第１のタイム・スロット（タイム・スロット０）に限られ、アップリンク（ＵＬ）の許可が、第２のタイム・スロット（タイム・スロット１）に限られる。２つの手法のうちの第２の手法、すなわち、オプション２においては、ＤＬの割り振りとＵＬの許可との両方が、第１のタイム・スロットかまたは第２のタイム・スロットかのどちらかでＵＥ３０２にシグナリングされ得る。さらに別のオプションにおいては、ＤＬの割り振り（またはＵＬの許可）が、両方のスロットを占有することもある。
【００３８】
図７に示されたどちらかの手法を使用するＥＰＤＣＣＨを受信するために、ＵＥ３０２は、まず、新しい制御シグナリングが予想される１組のＲＢ、すなわち、ＥＰＤＣＣＨ  ＲＢセットを知る必要がある。しかし、ＵＥにおけるブラインド復号の複雑さを小さくするために、通信システム３００は、特定のキャリア帯域幅に対してＵＥが受信する必要があるＲＢの最大数よりも小さなＥＰＤＣＣＨ  ＲＢセットを提供する。
【００３９】
ここで図８を参照すると、本発明のさまざまな実施形態による、ＰＤＣＣＨおよびＥＰＤＣＣＨのうちの１つまたは複数で送信された制御情報を復号するためにＵＥ３０２によって実行されるブラインド復号を示す論理フロー図８００が与えられている。論理フロー８００は、ＵＥ３０２がＰＤＣＣＨおよびＥＰＤＣＣＨに関して無線インターフェース３１２のダウンリンクを監視するときに始まる（８０２）。特に、ＵＥ３０２は、ＣＲＳを使用するＰＤＣＣＨの復号の候補に関して、ＰＤＣＣＨ、例えば、サブフレーム６３０のＰＤＣＣＨ領域６２０の時間シンボルを監視する（８０４）。ＵＥ３０２は、ＤＭＲＳを使用するＥＰＤＣＣＨの復号の候補に関して、ＥＰＤＣＣＨ、例えば、サブフレーム６３０のＥＰＤＣＣＨ領域６２２、またはより平たく言えば、サブフレーム６３０内のＥＰＤＣＣＨに対応する複数のＲＢも監視する（８０６）。ＥＰＤＣＣＨを監視する際、ＵＥ３０２は、ＲＢの選択されたサブセットを監視し、すなわち、ＵＥ３０２は、所与の送信帯域幅の構成に対してＵＥがサブフレームにおいて受信し得るＲＢの最大数よりも小さなＥＰＤＣＣＨ  ＲＢセットを監視する。ＰＤＣＣＨの候補およびＥＰＤＣＣＨの候補の監視および復号（８０８）に応じて、次に、ＵＥ３０２は、それぞれ、ＰＰＤＣＣＨおよびＥＰＤＣＣＨの復号されたＲＢに基づいて、監視されるＰＰＤＣＣＨおよびＥＰＤＣＣＨのうちの１つまたは複数でダウンリンク制御情報（ＤＣＩ）を受信し、復号する（８１０）。次いで、論理フロー図８００は終了する（８１２）。
【００４０】
ここで図１０を参照すると、本発明のさまざまな実施形態による、ＵＥ３０２によるダウンリンク制御情報（ＤＣＩ）の受信を示す論理フロー図１０００が与えられている。論理フロー１０００は、ＵＥ３０２が制御チャネルの候補に関して無線インターフェース３１２のダウンリンクを監視するときに始まる（１００２）。特に、ＵＥ３０２は、ＤＭＲＳに基づいてダウンリンク共有トラフィック・チャネルを受信するために第１の送信モードで構成されているとき、共通基準信号（ＣＲＳ）を使用する制御チャネルの候補を監視し（１００４）、復調基準信号（ＤＭＲＳ）またはＵＥ固有基準信号（ＵＥＲＳ）を使用する拡張制御チャネルの候補を監視する。ＣＲＳを使用する制御チャネルの候補を監視する工程は、物理ダウンリンク制御チャネル（ＰＤＣＣＨ）の候補を監視する工程をさらに含んでもよい。ＤＭＲＳを使用する拡張制御チャネルの候補を監視する工程は、拡張物理ダウンリンク制御チャネル（ＥＰＤＣＣＨ）の候補を監視する工程をさらに含んでもよい。ダウンリンク共有トラフィック・チャネルは、物理ダウンリンク共有チャネル（ＰＤＳＣＨ）とすることができる。第１の送信モードは、ＬＴＥの送信モード９、またはＵＥがＤＭＲＳに基づいてＰＤＳＣＨを受信する任意のその他の送信モードとすることができる。ＵＥ３０２は、ＣＲＳに基づいてダウンリンク共有トラフィック・チャネルを受信するために第２の送信モードで構成されているとき、ＣＲＳを使用する制御チャネルの候補のみを監視する（１００６）。第２の送信モードは、ＬＴＥの送信モード１、２、３、４、５、またはＵＥがＣＲＳを使用するがＤＭＲＳを使用せずにＰＤＳＣＨを受信すると期待される任意のその他の送信モードとすることができる。ＵＥ３０２は、サブフレームにおいて、監視される制御チャネルの候補または拡張制御チャネルの候補のうちの１つで（サブフレーム６３０のような）サブフレーム内のダウンリンク制御情報（ＤＣＩ）を受信する（１００８）。次いで、論理フロー図１０００は終了する（１０１０）。
【００４１】
例えば、２０ＭＨｚのキャリア帯域幅に対して、ＵＥ３０２などのＵＥは、通常、最大で１００個のＲＢを受信すると期待される。それらのＲＢの中で、より小さな組（例えば、１０個のＲＢの組）が、ＵＥ３０２がＥＰＤＣＣＨの受信に関する監視を行うために指定され得る。本発明の１つのそのような実施形態においては、ＥＰＤＣＣＨ  ＲＢセットが、各キャリア帯域幅に対して予め指定可能である。例えば、１．４ＭＨｚのキャリア帯域幅に関しては、キャリア内の６つすべてのＲＢがＥＰＤＣＣＨ  ＲＢセットを形成することができ、２０ＭＨｚのキャリア帯域幅に関しては、ＲＢ、ＲＢ０、ＲＢ１、ＲＢ２０、ＲＢ２１、ＲＢ４０、ＲＢ４１、…、ＲＢ９８、ＲＢ９９がＥＰＤＣＣＨ  ＲＢセットを形成することができる。
【００４２】
本発明の別のそのような実施形態においては、複数のＥＰＤＣＣＨ  ＲＢセットが、各キャリア帯域幅に対して予め指定可能であり、ＢＳ３１０が、１つの特定のサブフレームまたは特定の１組のサブフレームでどのＥＰＤＣＣＨ  ＲＢセットを使用すべきかをＵＥ３０２にシグナリングすることができる。本発明のさらに別のそのような実施形態においては、ＢＳ３１０が、すべてのサブフレームに関してＥＰＤＣＣＨ  ＲＢセットを特定するビットマップをＵＥ３０２に伝えることができる。本発明のさらに別のそのような実施形態においては、ＢＳ３１０が、複数のＥＰＤＣＣＨ  ＲＢセットをＵＥ３０２にシグナリングし、１つの特定のサブフレームまたは特定の１組のサブフレームでどのＲＢセットを使用すべきであるかもシグナリングすることができる。ＥＰＤＣＣＨ  ＲＢセットの中のＲＢは、周波数領域で連続する、すなわち、隣接したＲＢであるか、または不連続であるかのどちらかであるように選択され得る。連続するＲＢは、ＥＰＤＣＣＨの周波数選択的な送信を可能にし、この周波数選択的な送信は、ＢＳ３１０が、ＵＥ３０２からの正確な周波数選択的チャネル品質情報（ＣＱＩ）を有するときに有用であり、不連続なＲＢは、周波数が分散されたＥＰＤＣＣＨの送信を可能にする。さらに、ＢＳ３１０は、異なるＵＥを異なるＥＰＤＣＣＨ  ＲＢセットを用いて構成することができる。
【００４３】
サブフレームでＥＰＤＣＣＨを受信するために、ＵＥ３０２は、ＥＰＤＣＣＨ  ＲＢセットを含むＲＢにおいて１組のＥＰＤＣＣＨの候補、すなわち、ＥＰＤＣＣＨ候補セット（ＥＰＤＣＣＨ  ｃａｎｄｉｄａｔｅ  ｓｅｔ）を監視すると期待される。ここで、監視は、ＥＰＤＣＣＨ候補セット内の候補のそれぞれを、その候補に対して適用可能なすべてのダウンリンク制御情報（ＤＣＩ）フォーマットにしたがって復号することを試みることを含む。それぞれのＥＰＤＣＣＨの候補は、制御チャネル要素（ＣＣＥ：ｃｏｎｔｒｏｌ  ｃｈａｎｎｅｌ  ｅｌｅｍｅｎｔ）または１組のまとめられたＣＣＥに関連付けられる。ＥＰＤＣＣＨに関連して本明細書において使用されるとき、これらは、ＰＤＣＣＨに関して使用されるＣＣＥの用語とこれらを区別するために拡張制御チャネル要素（ｅＣＣＥ）と呼ばれることもある。それぞれの拡張制御チャネル要素（ｅＣＣＥ）は、ＥＰＤＣＣＨ  ＲＢセットのＲＢ内の時間周波数リソース要素（ＲＥ）を含む。
【００４４】
本発明の原理を示すために、本発明を限定することはまったく意図せずに、ＵＥ３０２のＥＰＤＣＣＨ  ＲＢセットがＲＢ、ＲＢ０、ＲＢ１、…、ＲＢｎ（ここでは論理的なインデックス付けが使用されている）を含むと仮定する。そのとき、ｅＣＣＥは、以下の例のうちのいずれかで示されるように定義され得る。
【００４５】
第１の例においては、ｅＣＣＥ＿０が、ＲＢ０内のすべてのＲＥを含み、ｅＣＣＥ＿１が、ＲＢ１内のすべてのＲＥを含み、…、ｅＣＣＥ＿ｎが、ＲＢｎ内のすべてのＲＥを含む。この例において、ＥＰＤＣＣＨ候補セットは、ＥＰＤＣＣＨ  ＲＢセットに等しい。
【００４６】
第２の例においては、ｅＣＣＥ＿０が、ＲＢ０内のＲＥの第１のサブセットを含み、ｅＣＣＥ＿１が、ＲＢ０内のＲＥの第２のサブセットの組を含み、ｅＣＣＥ＿２が、ＲＢ１内の１組のＲＥの第１のサブセットを含み、ｅＣＣＥ＿３が、ＲＢ１内のＲＥの第２のサブセットの組を含み、…、ｅＣＣＥ＿２ｎ−１が、ＲＢｎ内のＲＥの第１のサブセットを含み、ｅＣＣＥ＿２ｎが、ＲＢｎ内のＲＥの第２のサブセットを含む。
【００４７】
ここで図９に示される表９００を参照すると、第３の例において、ｅＣＣＥは、サブフレーム・タイプに基づいて最大数のＲＥ、例えば、２つのＰＤＣＣＨ制御シンボルを利用する物理制御フォーマット・インジケータ・チャネル（ＰＣＦＩＣＨ）（すなわち、ＰＣＦＩＣＨ＝２）および２つのＣＲＳポートに対して、通常のサブフレームに関して３６個のＲＥを含み、マルチキャスト・ブロードキャスト単一周波数ネットワーク（ＭＢＳＦＮ：Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）サブフレームに関して４０個のＲＥを含むように定義され得る。すなわち、表９００は、本発明のさまざまな実施形態による、ＥＰＤＣＣＨのためにリソース・ブロック毎に利用可能なリソース要素の数を示す。第１のタイム・スロットに関して、表の第２列は、使用されるＰＤＣＣＨ制御シンボル数を記載する。例えば、ＰＣＦＩＣＨ＝３は、ＰＤＣＣＨの制御のために３つのシンボルが使用される場合を対象とする。表の第３列および第４列は、２つのＣＲＳポート（列３）を使用して、通常のサブフレームに関して可能なｅＣＣＥのサイズの範囲と、４つのＣＲＳポート（列４）を使用して、通常のサブフレームに関して可能なｅＣＣＥのサイズの範囲とを記載し、各範囲の下限は、チャネル状態情報基準信号（ＣＳＩ  ＲＳ）の使用によるものであり、各範囲の上限は、ＣＳＩ  ＲＳが存在しないことによるものである。表の第５列および第６列は、やはり２つまたは４つのＣＲＳポートを使用して、ＭＢＳＦＮサブフレームに関して可能なｅＣＣＥのサイズの範囲を記載し、各範囲の下限は、ＣＳＩ  ＲＳの使用によるものであり、各範囲の上限は、ＣＳＩ  ＲＳが存在しないことによるものである。ＣＳＩ  ＲＳは、電力が０のＣＳＩ  ＲＳ（すなわちミュートされたＲＳ）または通常のＣＳＩ  ＲＳの両方を含み得る。
【００４８】
超過したＲＥ、すなわち、通常のサブフレーム、ＰＣＦＩＣＨ＝１、２つのＣＲＳポート（最大ＣＣＥサイズ＝３６）に関して１２個のＲＥ（４８−３６）、およびＭＢＳＦＮサブフレーム、ＰＣＦＩＣＨ＝１、２つのＣＲＳポート（最大ＣＣＥサイズ＝４０）に関して１２個のＲＥ（５２−４０）、または通常のサブフレーム、ＰＣＦＩＣＨ＝０、２つのＣＲＳポート（最大ＣＣＥサイズ＝３６）に関して２０個のＲＥ５６−３６、およびＭＢＳＦＮサブフレーム、ＰＣＦＩＣＨ＝０、２つのＣＲＳポート（最大ＣＣＥサイズ＝４０）に関して２０個のＲＥ（６０−４０）などの最大ＣＣＥサイズを超えるＲＥは、
ｉ）より多くのＤＭＲＳ  ＲＥ（１２／２０）とみなされる（チャネル推定がより複雑）か、
ｉｉ）より多くのｅＣＣＥ  ＲＥ（１２／２０）とみなされる（ＰＣＦＩＣＨが使用されず、ＲＲＣの構成が使用されない場合、ＢＤがより多くなる）か、
ｉｉｉ）より多くのＤＭＲＳ  ＲＥ（８／８）およびより多くのｅＣＣＥ  ＲＥ（４／１２）とみなされる（より性能のバランスがとれる）か、または
ｉｖ）第１のスロットのＥＰＤＣＣＨに関してより多くのＤＭＲＳ（４／４）とみなされ、第２のスロットのＥＰＤＣＣＨに関してより多くのＤＭＲＳ（４／４）とみなされ、第１のスロットのＥＰＤＣＣＨに関してより多くのｅＣＣＥ（０／８）とみなされ、第２のスロットのＥＰＤＣＣＨに関してより多くのｅＣＣＥ（４／４）とみなされるか
のいずれかとすることができる。そのとき、ＵＥ３０２は、ＰＣＦＩＣＨの検出またはＲＲＣの構成に基づいて超過したＲＥを使用するように試みることができる。超過したＲＥをｅＣＣＥ  ＲＥとして使用するために、ＵＥは、より多くのｅＣＣＥ  ＲＥが後続のソフト環状バッファ（ｓｏｆｔ  ｃｉｒｃｕｌａｒ  ｂｕｆｆｅｒ）のＰＤＣＣＨのＤＣＩフォーマットの内容に対応するとみなすことができる。
【００４９】
本発明のさらにその他の実施形態においては、ＵＥ３０２によって監視されるべき１組のＥＰＤＣＣＨの候補、すなわち、ＥＰＤＣＣＨ候補セットが、探索空間によってやはり定義され得る。例えば、アグリゲーション・レベルＬのＥＰＤＣＣＨ探索空間Ｓｋ（Ｌ）は、１組のＥＰＤＣＣＨの候補を指し、探索空間内の各候補は、Ｌ個のまとめられたｅＣＣＥを有する。ＰＤＣＣＨに関しては、Ｌ＝１、２、４、および８個のＣＣＥのアグリゲーションが、サポートされる。ＥＰＤＣＣＨに関しては、同じアグリゲーション・レベルが、サポート可能である。しかし、本発明の別の実施形態においては、ｅＣＣＥのサイズが、３６個のＲＥの固定のＣＣＥのサイズとは異なることがあるので、その他のアグリゲーション・レベル（例えば、Ｌ＝３）が使用され得る。また、ｅＣＣＥのサイズが、（例えば、ＰＣＦＩＣＨの値、ＣＳＩ−ＲＳの存在、サブフレーム・タイプに基づいて）異なるサブフレームおよびサブフレーム内のスロットの間で大きく変わることがあるので、ＵＥがＥＰＤＣＣＨの監視のために想定する１組のアグリゲーション・レベルも、サブフレームの間、または同じサブフレーム内のスロットの間、または異なるサブフレーム・タイプの間（例えば、通常のサブフレーム対ＭＢＳＦＮサブフレーム）で変わることがある。より平たく言えば、ＵＥがＥＰＤＣＣＨの監視のために想定する１組のアグリゲーション・レベルが、第１の期間と第２の期間との間で変わり得る。
【００５０】
ＲＢ内でＥＰＤＣＣＨのために利用可能なＲＥ、すなわち、ＰＤＣＣＨまたはＣＲＳまたはＤＭＲＳにマッピングされないＲＥの数が、図９に描かれた表９００に示されている。表９００に関しては、通常のサイクリック・プレフィックス（ＣＰ）のサブフレーム構造が想定されている。表９００の各マスは２つの値、ａ１〜ａ２を示し、ここで、「ａ１」は、ＥＰＤＣＣＨがタイム・スロット内のすべてのあり得る電力が０のＣＳＩ−ＲＳおよび通常のＣＳＩ−ＲＳのまわりにマッピングされる場合の利用可能なＲＥの数であり、「ａ２」は、タイム・スロット内にＣＳＩ−ＲＳが存在しない場合の利用可能なＲＥの数である。ＣＳＩ−ＲＳの構成に応じて、ＲＢ内のＥＰＤＣＣＨのために利用可能なＲＥの数は、ａ１およびａ２を含むａ１とａ２との間の任意の数とすることができる。
【００５１】
例えば、各ｅＣＣＥがＲＢ内のすべての利用可能なＲＥに対応する設計と、表９００において「通常のサブフレーム−２つのＣＲＳポート−ＰＣＦＩＣＨ＝３」の場合とについて考える。ＣＳＩ−ＲＳが構成されないサブフレームに関して、ＵＥ３０２は、第１のタイム・スロットにおいてアグリゲーション・レベル１、２、４、および８（すなわち、３２個、６４個、１２８個、および２５６個のＲＥ）の探索空間を監視することができ、第２のタイム・スロットにおいてアグリゲーション・レベル１、２、および４（すなわち、６４個、１２８個、および２５６個のＲＥ）の探索空間のみを監視することができる。最大限のＣＳＩ−ＲＳが構成されるサブフレームにおいては、ＵＥは、（アグリゲーション・レベル１に対応する２４個のＲＥでは小さ過ぎてＤＣＩに合わないことがあるので）第１のタイム・スロットにおいてアグリゲーション・レベル２、４、および８（すなわち、４８個、９６個、および１９２個のＲＥ）の探索空間を監視することができ、第２のタイム・スロットにおいてアグリゲーション・レベル１、２、４、および８（３２個、６４個、１２８個、および２５６個のＲＥ）の探索空間を監視することができる。
【００５２】
ＰＤＣＣＨに関しては、ＤＣＩを送信するために４相位相偏移キーイング（ＱＰＳＫ）変調方式のみが使用される。ＥＰＤＣＣＨに関しては、ｅＣＣＥが異なるＲＢで送信されるので、一部のＥＰＤＣＣＨの候補に対してより高次の変調方式を使用可能とすることができる。したがって、アグリゲーション・レベルに加えて、ＥＰＤＣＣＨの探索空間および探索空間の候補は、ＥＰＤＣＣＨの送信のために使用される変調にも基づいて定義され得る。例えば、ＵＥは、１ｅＣＣＥアグリゲーション・レベルおよびＱＰＳＫ変調のＥＰＤＣＣＨの候補と、１ｅＣＣＥアグリゲーション・レベルおよび１６ＱＡＭ（直交振幅変調）変調の別のＥＰＤＣＣＨの候補を監視することができる。また、ＱＰＳＫ変調レベルで監視されるすべてのＥＰＤＣＣＨの候補は、ＱＰＳＫ変調レベルの探索空間を含むことができ、１６ＱＡＭ変調レベルで監視されるすべてのＥＰＤＣＣＨの候補は、１６ＱＡＭ変調レベルの探索空間を含むことができる。
【００５３】
上述のように、ＵＥへのＰＤＣＣＨの送信はＣＲＳに基づき、一方、ＵＥへのＥＰＤＣＣＨの送信はＤＭＲＳに基づいてもよい。ＤＭＲＳを使用するＥＰＤＣＣＨの送信は、２つの別々のＵＥのＤＣＩを同じ１組の時間周波数リソース、すなわち、同じｅＣＣＥに空間多重化することを可能にする。そのような送信方式は、概して、マルチ・ユーザ（ＭＵ）ＭＩＭＯと呼ばれる。ＭＵ−ＭＩＭＯをサポートするために、ＢＳ３１０は、各ＵＥへのＥＰＤＣＣＨの送信のために別々のプリコーディング重みを使用する必要があり、それぞれのそのようなＵＥは、ＥＰＤＣＣＨの送信に関連するＤＭＲＳからそのＵＥのＥＰＤＣＣＨのために使用されるプリコーディング重みを決定する必要がある。したがって、ＭＵ−ＭＩＭＯを用いて、（それぞれが特定のＤＭＲＳのアンテナ・ポートに関連付けられた）複数のＥＰＤＣＣＨが、単一のｅＣＣＥで送信され得る。ＵＥの観点から見ると、ＭＵ−ＭＩＭＯがＥＰＤＣＣＨの送信のために使用されるとき、それぞれの候補がＤＭＲＳのアンテナ・ポートに関連付けられている複数のＥＰＤＣＣＨの候補が、１つのｅＣＣＥまたは１組のまとめられたｅＣＣＥにおいてＵＥによって監視され得る。このことを考慮して、アグリゲーション・レベルおよび変調次数（ｍｏｄｕｌａｔｉｏｎ  ｏｒｄｅｒ）に加えて、ＥＰＤＣＣＨの探索空間および探索空間の候補は、ＥＰＤＣＣＨの送信に関連するＤＭＲＳのアンテナ・ポートにも基づいて定義され得る。例えば、ＵＥ、すなわち、ＵＥ３０２は、１ｅＣＣＥアグリゲーション・レベル、ＱＰＳＫ変調、およびＤＭＲＳのアンテナ・ポート７に基づく送信のＥＰＤＣＣＨの候補を監視することができる。ＵＥは、１ｅＣＣＥアグリゲーション・レベル、ＱＰＳＫ変調、およびＤＭＲＳのアンテナ・ポート８に基づく送信の別のＥＰＤＣＣＨの候補も監視することができる。また、ＤＭＲＳのポート７に基づく送信に基づいて監視されるすべてのＥＰＤＣＣＨの候補は、ＤＭＲＳのポート７に関連する探索空間を含むことができる。同様に、ＤＭＲＳのポート８に基づく送信に基づいて監視されるすべてのＥＰＤＣＣＨの候補は、ＤＭＲＳのポート８に関連する探索空間を含むことができる。
【００５４】
ＵＥ３０２が監視するＥＰＤＣＣＨの候補は、１組の共通探索空間（ｃｏｍｍｏｎ  ｓｅａｒｃｈ  ｓｐａｃｅ）の候補（またはＰＤＣＣＨのためのＣＳＳと区別するための拡張共通探索空間（ｅＣＳＳ））と１組のＵＥ固有探索空間（ＵＥ  ｓｐｅｃｉｆｉｃ  ｓｅａｒｃｈ  ｓｐａｃｅ）の候補（またはＰＤＣＣＨのためのＵＥＳＳと区別するための拡張ＵＥ固有探索空間（ｅＵＥＳＳ））とにさらに分割され得る。ｅＣＳＳの候補は、サービングＢＳ、すなわち、ＢＳ３１０のカバー・エリア内のすべてのＵＥにブロードキャストされるＥＰＤＣＣＨ  ＲＢセットにおいて監視され得る。例えば、ＬＴＥにおいては、この情報は、マスター情報ブロック（ＭＩＢ）またはシステム情報ブロック（ＳＩＢ）でブロードキャストされ得る。ｅＵＥＳＳの候補は、ＵＥに固有のＲＲＣシグナリングによってＵＥにシグナリングされるＥＰＤＣＣＨ  ＲＢセットにおいて監視され得る。
【００５５】
ＬＴＥにおいては、ＰＤＣＣＨを受信するために、ＵＥ３０２などのＵＥは、１組のＰＤＣＣＨの候補を監視する。より詳細には、ＵＥ、すなわち、ＵＥ３０２は、ＣＣＥアグリゲーション・レベル４および８のそれぞれで１つの共通探索空間（ＣＳＳ）（アグリゲーション・レベル４で４つのＰＤＣＣＨの候補およびアグリゲーション・レベル８で２つのＰＤＣＣＨの候補）を監視する。ＣＳＳ内のＰＤＣＣＨの候補に関連するＤＣＩフォーマットは、２つの異なるサイズを有する。したがって、ＵＥ３０２は、ＣＳＳ内のそれぞれのＰＤＣＣＨの候補に対して２回のブラインド復号を実行する必要がある。さらに、ＵＥ３０２は、ＣＣＥアグリゲーション・レベル１、２、４、および８のそれぞれで１つのＵＥ固有探索空間（アグリゲーション・レベル１で６つの候補、アグリゲーション・レベル２で６つの候補、アグリゲーション・レベル４で２つの候補、アグリゲーション・レベル８で２つの候補）を監視する。ＵＥＳＳ内のＰＤＣＣＨの候補に関連するＤＣＩフォーマットは、ＵＥがアップリンクＭＩＭＯ用に構成されていない場合は２つの異なるサイズを有し、ＵＥがアップリンクＭＩＭＯ用に構成されている場合は３つの異なるサイズを有する。したがって、ＵＥは、ＵＥＳＳ内のそれぞれのＰＤＣＣＨの候補に対して２回かまたは３回かのどちらかのブラインド復号を実行する必要がある。要約すると、ＣＳＳ内のＰＤＣＣＨの候補を監視するために、ＵＥは、最大で「（４＋２）＊２＝１２」回のブラインド復号（ＢＤ）を実行する必要があり、ＵＥＳＳ内のＰＤＣＣＨの候補を監視するために、ＵＥは、最大で「（６＋６＋２＋２）＊２＝３２」回のＢＤかまたは「（６＋６＋２＋２）＊３＝４８」回のＢＤかのどちらかを実行する必要がある。これを組み合わせると、ＵＥは、ＵＬ−ＭＩＭＯを使用しない場合は最大「１２＋３２＝４４」回のＢＤを実行することができ、ＵＬ  ＭＩＭＯを使用する場合は「１２＋４８＝６０」回のＢＤを実行することができる必要がある。ＵＥがキャリア・アグリゲーション（ＣＡ）のために構成されている場合、ＵＥは、それぞれの構成および有効化されたセカンダリ・セルに関してアグリゲーション・レベル１、２、４、８のさらなるＵＥＳＳを監視し、これらのさらなる探索空間を監視するために必要とされるさらなるブラインド復号を実行することができる必要がある。
【００５６】
ＬＴＥにおいては、ＰＤＳＣＨを受信するために、ＵＥ３０２などのＵＥは、複数の知られているＬＴＥの送信モードの中の１つの送信モードで構成される。例えば、ＵＥ、すなわち、ＵＥ３０２が送信モード２で構成されている場合、ＵＥは、ＣＲＳおよび送信ダイバーシティ送信方式を使用してＰＤＳＣＨを受信することができる。ＵＥ３０２が送信モード３、４、５、または６で構成されている場合、ＵＥは、ＣＲＳと、開ループ空間多重化、閉ループ空間多重化、およびＭＵ−ＭＩＭＯなどのＭＩＭＯに基づく送信方式とを使用してＰＤＳＣＨを受信することができる。ＵＥ３０２が送信モード７または８で構成されている場合、ＵＥは、ＵＥ固有ＲＳを使用してＰＤＳＣＨを受信することができる。ＵＥ３０２が送信モード９で構成されている場合、ＵＥは、ＤＭＲＳを使用してＰＤＳＣＨを受信することができ、最大で８レイヤの空間多重化が可能である。送信モード９は、ＣｏＭＰ、およびＭＵ−ＭＩＭＯを含むさらに拡張されたＭＩＭＯなどの先進的特徴を使用するＰＤＳＣＨの受信に適している。ＵＥを送信モード９で構成することは、ＵＥへのＰＤＳＣＨのビームフォーミングされた周波数選択的な送信も可能にする。ネットワークへの最初のアクセス中、すなわち、ＢＳ３１０から送信モード構成シグナリングを受信する前は、ＵＥ３０２は、ＬＴＥのデフォルト送信モードである送信モード１かまたは送信モード２かのどちらかを使用してＰＤＳＣＨを受信することができる。
【００５７】
ＤＭＲＳを使用するマルチ・レイヤの周波数選択的なビームフォーミングなどの先進的な送信方式は、ＵＥが送信モード９で構成されているときにのみＵＥ３０２によってサポートされ得るので、ＵＥは、送信モード９のために構成されているときにのみＥＰＤＣＣＨの候補を監視することができる。より平たく言えば、ＥＰＤＣＣＨは、ＰＤＳＣＨを受信するためのある特定の拡張された送信モードに関する制御チャネルの性能を向上させるために使用されるので、ＵＥ３０２は、ＰＤＳＣＨを受信するためのそれらの拡張された送信モードで構成されているときにのみＥＰＤＣＣＨの候補を監視することができる。ＵＥ３０２がレガシーの送信モードで構成されているとき、ＵＥは、ＰＤＣＣＨの候補を監視すれば十分であり、１組のＥＰＤＣＣＨの候補の監視を省略することができる。例えば、最初のアクセス中、またはＵＥ３０２が送信モード１〜８のうちの１つで構成されているサブフレームの間、ＵＥは、ＰＤＣＣＨの候補のみを監視することができる。ＵＥ３０２が送信モード９で構成されているサブフレームの間、ＵＥは、そのとき、ＥＰＤＣＣＨの候補を監視することができる。
【００５８】
代替的に、基地局が、ＰＤＣＣＨの候補とＥＰＤＣＣＨの候補との両方を監視するためのトリガーをＵＥに送信してもよい。この代替形態を用いると、ＵＥは、トリガーを受信することに基づいて、（ＣＲＳを使用する）ＰＤＣＣＨの候補のみを監視すべきか、または（ＣＲＳを使用する）ＰＤＣＣＨの候補と（ＤＭＲＳを使用する）ＥＰＤＣＣＨの候補との両方を監視すべきかを判定する。トリガーは、ＲＲＣシグナリングもしくは媒体アクセス制御（ＭＡＣ）レイヤのシグナリングを使用してか、またはＰＤＣＣＨ内の１つのビット（もしくはビットのシーケンス）によってＵＥにシグナリングされ得る。別の代替形態において、ＵＥは、フレーム内のサブフレームの第１のサブセットにおいてはＰＤＣＣＨの候補とＥＰＤＣＣＨの候補との両方を監視し、フレーム内のサブフレームの第２のサブセットにおいてはＰＤＣＣＨの候補のみを監視するように基地局によって構成され得る。フレームは、通常、複数のサブフレームを含む無線フレームとすることができる。例えば、１フレーム＝１０サブフレームである。さらに別の代替形態において、ＵＥは、フレーム内のサブフレームの第１のサブセットにおいてはＥＰＤＣＣＨの候補のみを監視し、フレーム内のサブフレームの第２のサブセットにおいてはＰＤＣＣＨの候補のみを監視するように基地局によって構成され得る。
【００５９】
ＬＴＥリリース８、９、および１０において、ＵＥ３０２などのＵＥは、サービング・セルに関して最大で６０回のブラインド復号動作をサポートする必要があり、すべてのブラインド復号動作が、ＰＤＣＣＨを監視するために実行される。ＬＴＥリリース１１に関しては、ＵＥ、すなわち、ＵＥ３０２がＥＰＤＣＣＨを監視しているとき、ＵＥにおけるブラインド復号の複雑さの全体がＬＴＥリリース１０と比較して増加しないか、またはＬＴＥリリース１０の水準に匹敵する水準に保たれるかのどちらかであるように、ＵＥが実行するブラインド復号の回数が、ＰＤＣＣＨの監視とＥＰＤＣＣＨの監視との間で分け合われなければならない。
【００６０】
例えば、ＵＥ３０２が送信モード９で構成されていないとき、サブフレームにおいてＵＥによって実行されるすべてのブラインド復号は、ＰＤＣＣＨの監視のために使用され得る。ＵＥ３０２が送信モード９で構成されているとき、ＵＥは、第１の１組のＤＣＩフォーマットに関してＰＤＣＣＨ（すなわち、ＰＤＣＣＨ制御チャネルの候補）を監視し、異なる１組のＤＣＩフォーマットに関してＥＰＤＣＣＨ候補セットを監視し、それによって、ＰＤＣＣＨとＥＰＤＣＣＨとの間でブラインド復号動作を分割する。代替的に、ＵＥ３０２は、第１の１組のアグリゲーション・レベル（例えば、アグリゲーション・レベル１、２、４、および８）でＰＤＣＣＨ探索空間を監視することができ、異なる１組のアグリゲーション・レベル（例えば、アグリゲーション・レベル２および４のみ）でＥＰＤＣＣＨ探索空間を監視することができる。さらに、各アグリゲーション・レベルで、ＵＥは、ＰＤＣＣＨおよびＥＰＤＣＣＨに関して異なる数の候補を監視することができる。
【００６１】
別の例においては、ＵＥ３０２がＥＰＤＣＣＨを監視するフレームにおいて、ＵＥは、ＣＳＳに属するＰＤＣＣＨの候補のみを監視する。この例において、ＵＥ３０２は、ＰＤＣＣＨのために１２回のブラインド復号を実行する必要があり、すべてのその他のブラインド復号、すなわち、サブフレームにおけるブラインド復号の最大数が６０であるものとすると４８回のブラインド復号が、ＥＰＤＣＣＨを監視するために使用され得る。さらに別の例において、ＵＥ３０２は、ダウンリンクの割り振りをシグナリングするＤＣＩフォーマットに関してＰＤＣＣＨの候補を監視することができ、ＵＥは、アップリンクの割り振りをシグナリングするＤＣＩフォーマットに関してＥＰＤＣＣＨの候補を監視することができる。
【００６２】
上で検討された本発明の暗黙的なブラインド復号分割方法の組合せに基づくいくつかの例は、以下の通りである。第１の例においては、ＵＥ３０２は、ＤＣＩフォーマット０／１Ａおよび１Ｃに関してＰＤＣＣＨ（ＣＳＳ内の６個の候補およびＵＥＳＳ内の１６個の候補）を監視し、ＤＣＩフォーマット０／１Ａおよび２Ｃに関してＥＰＤＣＣＨ（１６個のＥＰＤＣＣＨの候補）を監視することができる。これは、ＰＤＣＣＨのための「（４＋２）＊２＋（６＋６＋２＋２）＊１＝２８」回のブラインド復号、およびＥＰＤＣＣＨのための「（６＋６＋２＋６）＊２＝３２」回のブラインド復号、すなわち合計で「２８＋３２＝６０」回のブラインド復号を行う結果となる。
【００６３】
第２の例においては、ＵＥ３０２は、ＤＣＩフォーマット０／１Ａおよび１Ｃに関して、ＵＥＳＳではアグリゲーション・レベル２、４、および８のみでＰＤＣＣＨ（ＣＳＳ内の６つの候補およびＵＥＳＳ内の１０個の候補）を監視し、ＤＣＩフォーマット０／１Ａ、２Ｃ、および任意で４に関して、アグリゲーション・レベル１および２のみでＥＰＤＣＣＨ（１２個のＥＰＤＣＣＨの候補）を監視することができる。これは、ＰＤＣＣＨのための「（４＋２）＊２＋（０＋６＋２＋２）＊１＝２２」回のブラインド復号、およびＥＰＤＣＣＨのための「（６＋６＋０＋０）＊３＝３６」回のブラインド復号を行う結果となり、合計で「２２＋３６＝５８」回のブラインド復号を行う結果となる。
【００６４】
より平たく言えば、ＵＥは、サブフレームにおいて１組の制御チャネルの候補を監視することができ、１組の制御チャネルの候補は、１つまたは複数の制御チャネルの候補の種類の制御チャネルの候補を含むことができる。そのとき、ＵＥは、サブフレームにおいて監視される制御チャネルの候補の種類の数に基づいて、監視される１組の制御チャネルの候補の中の第１の種類の１組の制御チャネルの候補を決定することができる。例えば、１つの制御チャネルの候補の種類は、共通基準信号（ＣＲＳ）に基づく制御チャネルの候補の種類とすることができる。別の制御チャネルの候補の種類は、復調基準信号（ＤＭＲＳ）に基づく制御チャネルの候補の種類とすることができる。そのとき、ＵＥは、１つの種類の制御チャネルの候補（例えば、ＣＲＳに基づく制御チャネルの候補のみ）がサブフレームにおいて監視されるかどうか、または２つの種類の制御チャネルの候補（例えば、ＣＲＳに基づく制御チャネルの候補とＤＭＲＳに基づく制御チャネルの候補との両方）がサブフレームにおいて監視されるかどうかに基づいて、サブフレームにおいて監視すべき１組のＣＲＳに基づく制御チャネルの候補を決定することができる。最後に、ＵＥは、サブフレームにおいて、（決定された１組のＣＲＳに基づく制御チャネルの候補を含む）監視される１組の制御チャネルの候補の中の１つの制御チャネルの候補でダウンリンク制御情報（ＤＣＩ）を受信することができる。１実施形態において、ＵＥは、ＵＥに対して構成されたＰＤＳＣＨの送信モードに基づいて、サブフレームにおいて監視すべき制御チャネルの候補の種類の数を決定することができる。例えば、ＵＥが、ＤＭＲＳを使用してＰＤＳＣＨを受信することができるＰＤＳＣＨの送信モードで構成されている場合、ＵＥは、サブフレームにおいて２種類の制御チャネルの候補（例えば、ＣＲＳに基づく制御チャネルの候補とＤＭＲＳに基づく制御チャネルの候補との両方）を監視することができる。そうではなく、ＵＥが、ＣＲＳを使用するが、ＤＭＲＳは使用せずにＰＤＳＣＨを受信することができるＰＤＳＣＨの送信モードで構成されている場合、ＵＥは、１つの種類の制御チャネルの候補のみ（例えば、ＣＲＳに基づく制御チャネルの候補のみ）を監視することができる。上記の例において、制御チャネルの候補の監視は、制御チャネルの候補を復号することを試みることを含む。ＣＲＳに基づく制御チャネルの候補の種類の監視は、チャネル推定を目的としてＣＲＳを使用する制御チャネルの候補を復号することを試みることを含む。ＤＭＲＳに基づく制御チャネルの候補の種類の監視は、チャネル推定を目的としてＤＭＲＳを使用する制御チャネルの候補を復号することを試みることを含む。
【００６５】
制御チャネルの候補を監視している（すなわち、復号することを試みている）間に、ＵＥが制御チャネルの候補（ＰＤＣＣＨ制御チャネルの候補かまたはＥＰＤＣＣＨ制御チャネルの候補かのどちらか）を正常に復号する場合、ＵＥは、その制御チャネルの候補で送信されたＤＣＩを受信することができる。制御チャネルの候補が正常に復号されるかどうかを判定するために、ＵＥは、制御チャネルの候補で送信されたＤＣＩに関連する１組の巡回冗長検査（ＣＲＣ）のマスク・ビットをＵＥの位置識別子（ＵＥＩＤ）と比較することができる。ＣＲＣのマスク・ビットがＵＥＩＤと一致する場合、ＵＥは、制御チャネルの候補の復号が正常であると判定し、制御チャネルの候補で送信されたＤＣＩを受信することができる。
【００６６】
さらにその他の例においては、ＢＳ３１０が、ＵＥ３０２がＰＤＣＣＨを監視する１組のＤＣＩフォーマットと、ＵＥがＥＰＤＣＣＨを監視する１組のＤＣＩフォーマットとを（上位レイヤによって）シグナリングすることができる。ＢＳ３１０は、ＵＥ３０２がＥＰＤＣＣＨを監視するために使用することができる１組のアグリゲーション・レベルおよびＤＭＲＳのアンテナ・ポートもシグナリングすることができる。代替的に、ＢＳ３１０は、ＵＥ３０２がＰＤＣＣＨおよびＥＰＤＣＣＨの監視のために実行する必要があるＢＤの回数をシグナリングすることができ、ＵＥは、このシグナリングから１組のＰＤＣＣＨおよびＥＰＤＣＣＨの候補を推測することができる。
【００６７】
ＵＥ３０１および３０２などのＵＥが、復調基準信号（ＤＭＲＳ）に基づいてダウンリンク共有トラフィック・チャネルを受信するために第１の送信モードで構成されているとき、共通基準信号（ＣＲＳ）を使用する制御チャネルの候補を監視し、ＤＭＲＳを使用する拡張制御チャネルの候補を監視し、ＣＲＳに基づいてダウンリンク共有トラフィック・チャネルを受信するために第２の送信モードで構成されているとき、ＣＲＳを使用する制御チャネルの候補のみを監視するものと規定することによって、通信システム１００は、ＵＥにおけるブラインド復号の複雑さを小さくする。ＰＤＣＣＨの候補が監視されるＤＣＩフォーマットと、ＰＤＣＣＨの候補が監視されるアグリゲーション・レベルとは、サブフレームにおいて、ＵＥがＰＤＣＣＨのみを監視しているのか、またはＰＤＣＣＨとＥＰＤＣＣＨとの両方を監視しているのかに基づいて変わり得る。
【００６８】
本発明のその他の実施形態においては、ＵＥは、復調基準信号（ＤＭＲＳ）を使用する拡張制御チャネルの候補がサブフレームにおいて監視されるかどうかを判定し、サブフレームにおいて、共通基準信号（ＣＲＳ）を使用する１組の制御チャネルの候補を監視し、サブフレームにおいて、１組の制御チャネルの候補の中の１つの制御チャネルの候補でダウンリンク制御情報（ＤＣＩ）を受信することができ、１組の制御チャネルの候補は、復調基準信号（ＤＭＲＳ）を使用する拡張制御チャネルの候補がサブフレームにおいて監視されるかどうかに基づく。本発明のさらにその他の実施形態においては、ＵＥは、共通基準信号（ＣＲＳ）を使用するレガシーの制御チャネルの候補を監視し、第１のサブフレームにおいて第１の１組のアグリゲーション・レベルで拡張制御チャネルの候補を監視し、第２のサブフレームにおいて、第１の１組のアグリゲーション・レベルとは異なる第２の１組のアグリゲーション・レベルで拡張制御チャネルの候補を監視し、サブフレームのサブフレーム・タイプ、サブフレームにおけるチャネル状態情報（ＣＳＩ）基準信号の構成、およびサブフレームでシグナリングされる物理制御フォーマット・インジケータ・チャネル（ＰＣＦＩＣＨ）の値のうちの１つまたは複数に基づいて第１の１組のアグリゲーション・レベルおよび第２の１組のアグリゲーション・レベルを決定し、監視される拡張制御チャネルの候補のうちの少なくとも１つで制御情報を受信する。
【００６９】
上記の明細書において、特定の実施形態が説明された。しかし、当業者は、添付の特許請求の範囲に記載された本発明の範囲を逸脱することなくさまざまな修正および変更がなされ得ることを理解する。したがって、明細書および図面は、限定的な意味でなく例示的な意味に解釈されるべきであり、すべてのそのような修正は、本教示の範囲内に含まれるように意図される。
【００７０】
利益、利点、問題に対する解決法、および任意の利益、利点、または解決法をもたらすかまたはよりはっきりさせることができる任意の（１つまたは複数の）要素は、任意のまたはすべての請求項の重要な、必要な、または必須の特徴または要素であるとみなされるべきでない。本発明は、本出願の係属中になされたあらゆる補正および発行されたそれらの請求項のすべての均等物を含む添付の特許請求の範囲によってのみ定義される。
【００７１】
さらに、本明細書において、第１のおよび第２の、最も上のおよび最も下のなどの関係を表す語は、ある主体または行為を、必ずしもそのような主体または行為の間のいかなる実際のそのような関係または順序も要求または示唆せずに、別の主体または行為と区別するためにのみ使用され得る。用語「からなる、備える（ｃｏｍｐｒｉｓｅｓ）」、「からなる、備える（ｃｏｍｐｒｉｓｉｎｇ）」、「有する（ｈａｓ）」、「有する（ｈａｖｉｎｇ）」、「含む（ｉｎｃｌｕｄｅｓ）」、「含む（ｉｎｃｌｕｄｉｎｇ）」、「含む（ｃｏｎｔａｉｎｓ）」、「含む（ｃｏｎｔａｉｎｉｎｇ）」、またはこれらの任意のその他の変化形は、非排他的な包含を扱うように意図されており、したがって、列挙された要素からなる、列挙された要素を備える（ｃｏｍｐｒｉｓｅｓ）、列挙された要素を有する（ｈａｓ）、列挙された要素を含む（ｉｎｃｌｕｄｅｓ）、列挙された要素を含む（ｃｏｎｔａｉｎｓ）工程、方法、物品、または装置は、それらの要素のみを含むのではなく、明示的に挙げられていない、またはそのような工程、方法、物品、または装置に固有のその他の要素を含み得る。「〜からなる、〜を備える（ｃｏｍｐｒｉｓｅｓ．．．ａ）」、「〜を有する（ｈａｓ．．．ａ）」、「〜を含む（ｉｎｃｌｕｄｅｓ．．．ａ）」、「〜を含む（ｃｏｎｔａｉｎｓ．．．ａ）」によって移行される要素は、さらなる限定がない場合、その要素からなる、その要素を備える（ｃｏｍｐｒｉｓｅｓ）、その要素を有する（ｈａｓ）、その要素を含む（ｉｎｃｌｕｄｅｓ）、その要素を含む（ｃｏｎｔａｉｎｓ）工程、方法、製品、または装置に追加的な同一の要素が存在することを排除しない。用語「ａ」および「ａｎ」は、本明細書において別途明示的に示されない限り１つまたは複数であるものと定義される。用語「実質的に（ｓｕｂｓｔａｎｔｉａｌｌｙ）」、「事実上（ｅｓｓｅｎｔｉａｌｌｙ）」、「約（ａｐｐｒｏｘｉｍａｔｅｌｙ）」、「およそ（ａｂｏｕｔ）」、またはそれらの任意のその他の変化形は、当業者に理解される程度に近いことと定義され、１つの非限定的な実施形態において、この用語は、１０％以内であると定義され、別の実施形態においては、５％以内であると定義され、別の実施形態においては、１％以内であると定義され、別の実施形態においては、０．５％以内であると定義される。本明細書において使用された用語「結合された（ｃｏｕｐｌｅｄ）」は、必ずしも直接的にではなく、必ずしも機械的にではないが、接続された（ｃｏｎｎｅｃｔｅｄ）と定義される。特定の方法で「構成されている（ｃｏｎｆｉｇｕｒｅｄ）」デバイスまたは構造は、少なくともその方法で構成されているが、列挙されていない方法で構成されていることもある。
【００７２】
技術的な開示の本質をすぐに確認することを可能にするために、「要約書」が提供される。「要約書」は、特許請求の範囲または意味を解釈または限定するために使用されないとの理解のもとで提出される。さらに、上述の「発明を実施するための形態」においては、さまざまな特徴が、本開示を簡潔にするためにさまざまな実施形態にまとめられていることが理解され得る。この開示の方法は、主張されている実施形態が各請求項に明示的に記載されているよりも多くの特徴を必要とするという意図を反映していると解釈されるべきでない。むしろ、添付の特許請求の範囲が示すように、発明の対象は単一の開示された実施形態のすべての特徴よりも少ない特徴に存する。したがって、添付の特許請求の範囲は、各請求項が別々に特許請求された主題として独立するようにして、本明細書により「発明を実施するための形態」に援用される。
【図１Ａ】
0005751654.tif 000002
【図１Ｂ】
0005751654.tif 000003
【図２Ａ】
0005751654.tif 000004
【図２Ｂ】
0005751654.tif 000005
【図３】
0005751654.tif 000006
【図４】
0005751654.tif 000007
【図５】
0005751654.tif 000008
【図６Ａ】
0005751654.tif 000009
【図６Ｂ】
0005751654.tif 000010
【図７】
0005751654.tif 000011
【図８】
0005751654.tif 000012
【図９】
0005751654.tif 000013
【図１０】
0005751654.tif 000014